(57)【要約】【課題】液体で薬剤を溶解または希釈して薬液を生成するに際し、液体を吐出して当該液体で薬剤を溶解または希釈する操作と、薬液を吸引する操作と、薬液を吐出する操作との各操作を容易に行なうことができるシリンジ連結体を提供すること。【解決手段】シリンジ連結体１０は、シリンジ外筒２と、シリンジ外筒２内に挿入されたガスケット７と、ガスケット７をシリンジ外筒の長手方向に沿って移動操作する押し子８を有する第１のシリンジ１ａおよび第２のシリンジ１ｂを備え、第１のシリンジ１ａと第２のシリンジ１ｂとが並んで配置され、シリンジ外筒２同士が連結されたものである。このシリンジ連結体１０では、第１のシリンジ１ａの押し子８は、第２のシリンジ１ｂの押し子８を連結した連結状態と、連結状態を解除した解除状態とを取り得る連結部８６を有する。【選択図】図３
2015144676.tif 000002
【特許請求の範囲】
【請求項１】
先端部に突出形成された口部を有するシリンジ外筒と、該シリンジ外筒内に挿入されたガスケットと、該ガスケットを前記シリンジ外筒の長手方向に沿って移動操作する押し子とを有する第１のシリンジおよび第２のシリンジを備え、前記第１のシリンジと前記第２のシリンジとが並んで配置され、前記シリンジ外筒同士が連結されたシリンジ連結体であって、
前記第１のシリンジの前記押し子と前記第２のシリンジの前記押し子とのうちの一方の押し子は、他方の押し子を連結した連結状態と、該連結状態を解除した解除状態とを取り得る連結部を有し、
前記連結状態では、前記第１のシリンジの前記押し子と前記第２のシリンジの前記押し子とは、連動して操作され、前記解除状態では、前記第１のシリンジの前記押し子と前記第２のシリンジの前記押し子とは、独立して操作されることを特徴とするシリンジ連結体。
【請求項２】
前記第１のシリンジおよび前記第２のシリンジは、それぞれ、前記シリンジ外筒と前記ガスケットとで囲まれた空間に薬剤を溶解または希釈する液体が充填され、前記第１のシリンジでの前記ガスケットの位置と、前記第２のシリンジでの前記ガスケットの位置とは、前記シリンジ外筒の長手方向にズレており、
前記第１のシリンジおよび前記第２のシリンジの前記各シリンジ本体の口部からそれぞれ前記液体を吐出して該液体で前記薬剤を溶解または希釈するときには、前記連結部を前記解除状態として用いられる請求項１に記載のシリンジ連結体。
【請求項３】
前記第１のシリンジおよび前記第２のシリンジは、それぞれ、前記シリンジ外筒と前記ガスケットとで囲まれた空間に、前記液体で前記薬剤を溶解または希釈して生成された薬液が充填されるものであり、
前記第１のシリンジおよび前記第２のシリンジの前記各シリンジ本体の口部を介して前記薬液を吸引するときには、前記連結部を前記解除状態または前記連結状態とし、前記各シリンジ本体の口部からそれぞれ前記薬液を吐出するときには、前記連結部を前記連結状態として用いられる請求項２に記載のシリンジ連結体。
【請求項４】
前記一方の押し子および前記他方の押し子は、それぞれ、棒状をなす押し子本体を有し、
前記連結部は、前記一方の押し子が有する前記押し子本体と一体的に形成されたものか、または、前記一方の押し子が有する前記押し子本体と別体で構成され、該押し子本体に前記別体が接合されたものであり、前記連結状態で前記他方の押し子の長手方向の途中に係合するよう構成されている請求項１ないし３のいずれか１項に記載のシリンジ連結体。
【請求項５】
前記他方の押し子は、該他方の押し子が有する前記押し子本体の長手方向に離間して配置された板状の２つのフランジ部を有し、
前記連結部は、前記連結状態で前記２つのフランジ部の間に係合する請求項４に記載のシリンジ連結体。
【請求項６】
前記連結部は、前記一方の押し子をその軸回りに回転させることにより、前記連結状態と前記解除状態とを取り得る請求項１ないし５のいずれか１項に記載のシリンジ連結体。
【請求項７】
前記連結部は、該連結部を先端方向または基端方向から見たときＪ字状をなす請求項１ないし６のいずれか１項に記載のシリンジ連結体。
【請求項８】
前記一方の押し子および前記他方の押し子のうちの少なくとも前記一方の押し子の基端方向への移動を一時的に規制する規制機構部を備え、
前記規制機構部は、前記一方の押し子の外周部の一部にその長手方向に沿って設けられた歯部と、前記一方の押し子と異なる位置に設けられ、前記連結状態では前記歯部に接近して係合し、前記解除状態では前記歯部から離間して該歯部との係合が解除される係合片とを有する請求項１ないし７のいずれか１項に記載のシリンジ連結体。
【請求項９】
前記連結部は、前記一方の押し子をその軸回りに回転させることにより、前記連結状態と前記解除状態とを取り得、
前記歯部と前記係合片との係合と、該係合の解除とは、前記一方の押し子の回転に連動して行なわれる請求項８に記載のシリンジ連結体。
【請求項１０】
前記第１のシリンジと前記第２のシリンジとは、最大容積が異なり、
前記一方の押し子は、前記最大容積が大きい方のシリンジが有するものである請求項１ないし９のいずれか１項に記載のシリンジ連結体。
【発明の詳細な説明】
【技術分野】
【０００１】
本発明は、シリンジ連結体に関する。
【背景技術】
【０００２】
従来、２種以上の液体を混合して患部等に噴射し、癒着防止材や生体組織接着材などを形成する方法が知られており、そのための塗布具が開発されている。このような塗布具は、混合すると凝固する成分同士、例えばトロンビンを含有する第１の薬液とフィブリノーゲンを含有する第２の薬液とを互いに分別した状態で、患部付近まで送り、患部で混合しながら塗布するという構成によるものである。そして、従来の塗布具としては、第１の薬液が充填されたシリンジと、第２の薬液が充填されたシリンジと、各シリンジからの薬液を混合して噴出するノズルとを有するものがある（例えば、特許文献１参照）。
【０００３】
特許文献１に記載の塗布具では、例えば第１の薬液をシリンジに充填するまでの操作は、下記のようにして行われる。
【０００４】
まず、中空の両頭針を備えた接続具を用意し、その両頭針の一方に、液体が予め収納された液体バイアル容器を接続し、他方に、粉末の薬剤が収納された薬剤バイアル容器を接続し、液体バイアル容器内の液体を薬剤バイアル容器内に移送する。これにより、薬剤バイアル容器内の薬剤が液体で溶解されて、第１の薬液が生成される。
【０００５】
次に、薬剤バイアル容器から両頭針を抜去し、先端に鋭利な針先を有する穿刺針が接続された空のシリンジを用意して、その穿刺針を薬剤バイアル容器の栓体に穿刺（刺通）する。そして、この状態で、薬剤バイアル容器内の第１の薬液をシリンジ内に吸引、充填する。
【０００６】
このように第１の薬液をシリンジに充填するまでは、多数の医療用具を使い分けたり、付け替えたりしなければならず、操作が煩雑であった。
【先行技術文献】
【特許文献】
【０００７】
【特許文献１】米国特許公開第２００８／０２９４０９９号明細書
【発明の概要】
【発明が解決しようとする課題】
【０００８】
本発明の目的は、液体で薬剤を溶解または希釈して薬液を生成するに際し、液体を吐出して当該液体で薬剤を溶解または希釈する操作と、薬液を吸引する操作と、薬液を吐出する操作との各操作を容易に行なうことができるシリンジ連結体を提供することにある。
【課題を解決するための手段】
【０００９】
このような目的は、下記（１）〜（１０）の本発明により達成される。
（１）  先端部に突出形成された口部を有するシリンジ外筒と、該シリンジ外筒内に挿入されたガスケットと、該ガスケットを前記シリンジ外筒の長手方向に沿って移動操作する押し子とを有する第１のシリンジおよび第２のシリンジを備え、前記第１のシリンジと前記第２のシリンジとが並んで配置され、前記シリンジ外筒同士が連結されたシリンジ連結体であって、
前記第１のシリンジの前記押し子と前記第２のシリンジの前記押し子とのうちの一方の押し子は、他方の押し子を連結した連結状態と、該連結状態を解除した解除状態とを取り得る連結部を有し、
前記連結状態では、前記第１のシリンジの前記押し子と前記第２のシリンジの前記押し子とは、連動して操作され、前記解除状態では、前記第１のシリンジの前記押し子と前記第２のシリンジの前記押し子とは、独立して操作されることを特徴とするシリンジ連結体。
【００１０】
（２）  前記第１のシリンジおよび前記第２のシリンジは、それぞれ、前記シリンジ外筒と前記ガスケットとで囲まれた空間に薬剤を溶解または希釈する液体が充填され、前記第１のシリンジでの前記ガスケットの位置と、前記第２のシリンジでの前記ガスケットの位置とは、前記シリンジ外筒の長手方向にズレており、
前記第１のシリンジおよび前記第２のシリンジの前記各シリンジ本体の口部からそれぞれ前記液体を吐出して該液体で前記薬剤を溶解または希釈するときには、前記連結部を前記解除状態として用いられる上記（１）に記載のシリンジ連結体。
【００１１】
（３）  前記第１のシリンジおよび前記第２のシリンジは、それぞれ、前記シリンジ外筒と前記ガスケットとで囲まれた空間に、前記液体で前記薬剤を溶解または希釈して生成された薬液が充填されるものであり、
前記第１のシリンジおよび前記第２のシリンジの前記各シリンジ本体の口部を介して前記薬液を吸引するときには、前記連結部を前記解除状態または前記連結状態とし、前記各シリンジ本体の口部からそれぞれ前記薬液を吐出するときには、前記連結部を前記連結状態として用いられる上記（２）に記載のシリンジ連結体。
【００１２】
（４）  前記一方の押し子および前記他方の押し子は、それぞれ、棒状をなす押し子本体を有し、
前記連結部は、前記一方の押し子が有する前記押し子本体と一体的に形成されたものか、または、前記一方の押し子が有する前記押し子本体と別体で構成され、該押し子本体に前記別体が接合されたものであり、前記連結状態で前記他方の押し子の長手方向の途中に係合するよう構成されている上記（１）ないし（３）のいずれかに記載のシリンジ連結体。
【００１３】
（５）  前記他方の押し子は、該他方の押し子が有する前記押し子本体の長手方向に離間して配置された板状の２つのフランジ部を有し、
前記連結部は、前記連結状態で前記２つのフランジ部の間に係合する上記（４）に記載のシリンジ連結体。
【００１４】
（６）  前記連結部は、前記一方の押し子をその軸回りに回転させることにより、前記連結状態と前記解除状態とを取り得る上記（１）ないし（５）のいずれかに記載のシリンジ連結体。
【００１５】
（７）  前記連結部は、該連結部を先端方向または基端方向から見たときＪ字状をなす上記（１）ないし（６）のいずれかに記載のシリンジ連結体。
【００１６】
（８）  前記一方の押し子および前記他方の押し子のうちの少なくとも前記一方の押し子の基端方向への移動を一時的に規制する規制機構部を備え、
前記規制機構部は、前記一方の押し子の外周部の一部にその長手方向に沿って設けられた歯部と、前記一方の押し子と異なる位置に設けられ、前記連結状態では前記歯部に接近して係合し、前記解除状態では前記歯部から離間して該歯部との係合が解除される係合片とを有する上記（１）ないし（７）のいずれかに記載のシリンジ連結体。
【００１７】
（９）  前記連結部は、前記一方の押し子をその軸回りに回転させることにより、前記連結状態と前記解除状態とを取り得、
前記歯部と前記係合片との係合と、該係合の解除とは、前記一方の押し子の回転に連動して行なわれる上記（８）に記載のシリンジ連結体。
【００１８】
（１０）  前記第１のシリンジと前記第２のシリンジとは、最大容積が異なり、
前記一方の押し子は、前記最大容積が大きい方のシリンジが有するものである上記（１）ないし（９）のいずれかに記載のシリンジ連結体。
【発明の効果】
【００１９】
本発明によれば、液体で薬剤を溶解または希釈して薬液を生成するに際し、液体を吐出して当該液体で薬剤を溶解または希釈する操作と、薬液を吸引する操作と、薬液を吐出する操作とを順に行なう。そして、各操作に応じて、シリンジ連結体を連結状態と解除状態とに適宜切り換えることができる。このように１つのシリンジ連結体を用いれば、各操作に適した状態で当該各操作を容易に行なうことができる。
【図面の簡単な説明】
【００２０】
【図１】図１は、本発明のシリンジ連結体の使用方法を順に示す斜視図である。
【図２】図２は、本発明のシリンジ連結体の使用方法を順に示す斜視図である。
【図３】図３は、本発明のシリンジ連結体の使用方法を順に示す斜視図である。
【図４】図４は、本発明のシリンジ連結体が備える第１のシリンジのガスケットと押し子とを示す部分縦断面図である。
【図５】図５は、本発明のシリンジ連結体が備える第１のシリンジの押し子の横断面斜視図である。
【図６】図６は、図１（ａ）中のＡ−Ａ線断面図である。
【図７】図７は、図３（ｅ）中のＢ−Ｂ線断面図である。
【発明を実施するための形態】
【００２１】
以下、本発明のシリンジ連結体を添付図面に示す好適な実施形態に基づいて詳細に説明する。
図１〜図３は、それぞれ、本発明のシリンジ連結体の使用方法を順に示す斜視図である。図４は、本発明のシリンジ連結体が備える第１のシリンジのガスケットと押し子とを示す部分縦断面図である。図５は、本発明のシリンジ連結体が備える第１のシリンジの押し子の横断面斜視図である。図６は、図１（ａ）中のＡ−Ａ線断面図である。図７は、図３（ｅ）中のＢ−Ｂ線断面図である。なお、以下では、説明の都合上、図１〜図４中の上側を「基端」、下側を「先端」と言い、図５中の右上側を「基端」、左下側を「先端」と言う。
【００２２】
図１〜図３に示すシリンジ連結体１０は、並んで配置された第１のシリンジ１ａと第２のシリンジ１ｂとを備えている。
【００２３】
第１のシリンジ１ａと第２のシリンジ１ｂとは、大きさ、すなわち、最大容積が異なること以外は、主たる構成がほぼ同じであるため、以下、第１のシリンジ１ａについて代表的に説明する。
【００２４】
第１のシリンジ１ａは、シリンジ外筒２と、ガスケット７と、押し子８とを有している。
【００２５】
シリンジ外筒２は、有底筒状をなす胴部２１と、胴部２１の先端壁部２１１となる底部に突出形成された口部２２とを有している。
【００２６】
胴部２１は、その内径および外径がそれぞれ当該胴部２１の中心軸方向に沿って一定となっている。なお、第１のシリンジ１ａの胴部２１の内径は、第２のシリンジ１ｂの胴部２１の内径よりも大きい。これと同様に、第１のシリンジ１ａの胴部２１の外径も、第２のシリンジ１ｂの胴部２１の外径よりも大きい。
【００２７】
また、第１のシリンジ１ａの胴部２１と第２のシリンジ１ｂの胴部２１とは、互いに中心軸方向の途中で、板状をなすフランジ部２３を介して連結されている。これにより、第１のシリンジ１ａと第２のシリンジ１ｂとの位置関係が規制される、すなわち、第１のシリンジ１ａと第２のシリンジ１ｂとを並べて連結した状態が維持される。なお、図６、図７に示すように、第１のシリンジ１ａでは、胴部２１のフランジ部２３から基端方向に突出した突出部２１２には、後述する規制機構（規制機構部）３０のロック部材９を装着することができる。
【００２８】
口部２２は、胴部２１よりも細い管状をなし、胴部２１と連通した部分である。この口部２２を介して、液体が胴部２１に流入したり、その反対に、液体が胴部２１から流出したりすることができる。なお、口部２２は、胴部２１の先端壁部２１１の中心から偏心した位置に配置されている。また、口部２２の外周部は、その外径が先端方向に向かって漸減したテーパ状をなしている。本実施形態では、第１のシリンジ１ａの口部２２の外径と、第２のシリンジ１ｂの口部２２の外径とは、同じである。
【００２９】
シリンジ外筒２の構成材料としては、特に限定されず、例えば、成形が容易であるという点で、ポリプロピレン、環状ポリオレフィン、ポリエステル、ポリ−（４−メチルペンテン−１）のような樹脂材料が好ましい。なお、シリンジ外筒２の構成材料は、内部の視認性を確保するために、実質的に透明であるのが好ましい。
【００３０】
また、シリンジ外筒２が実質的に透明である場合、胴部２１には、液量を示す目盛り２１４が付されているのが好ましい。
【００３１】
図４に示すように、ガスケット７は、円柱状または円板状をなす弾性体で構成されている。このガスケット７は、胴部２１（シリンジ外筒２）に挿入、収納されている。
【００３２】
ガスケット７の外周部には、複数（本実施形態では２つ）のリング状の突部７１が全周にわたって形成されており、これらの突部７１が胴部２１の内周面に密着しつつ摺動することで、液密性を確実に保持するとともに、摺動性の向上が図れる。
【００３３】
また、ガスケット７には、その基端面に開放する凹部７２が形成されている。この凹部７２は、後述する押し子８のヘッド部８４が嵌入される。
【００３４】
このような構成のガスケット７と胴部２１とで囲まれた空間内には、ガスケット７が基端方向に向かって移動することにより、口部２２を介して液体を吸引して充填することができる（図１（ａ）、図２（ｃ）参照）。そして、この充填状態からガスケット７が先端方向に向かって移動することにより、口部２２を介して液体を排出することができる（図１（ｂ）、図３（ｅ）参照）。
【００３５】
ガスケット７の構成材料としては、特に限定されないが、例えば、シリコーンゴムのような各種ゴム材料や、ポリウレタン系等の各種熱可塑性エラストマー、あるいはそれらの混合物等の弾性材料が挙げられる。
【００３６】
押し子８は、ガスケット７をシリンジ外筒２の長手方向に沿って移動操作する部材である。
【００３７】
押し子８は、その本体部８１としての押し子本体を有している。図５〜図７に示すように、本体部８１は、横断面が十文字状をなす、すなわち、横断面視で放射状に延びる４枚の板状部８１ａを有する棒状の部分である。
【００３８】
図４に示すように、本体部８１の先端には、ガスケット７の凹部７２内に挿入され、ガスケット７と連結されるヘッド部８４が形成されている。また、ヘッド部８４は、遊嵌状態で凹部７２内に挿入されており、これにより、押し子８がガスケット７に回転可能に支持される。
【００３９】
本体部８１の基端には、円盤状のフランジ部８５が形成されている。
なお、押し子８の構成材料としては、前述したシリンジ外筒２の構成材料として例示したものと同様のものを用いることができる。
【００４０】
第１のシリンジ１ａおよび第２のシリンジ１ｂの主たる構成は、以上のようなものである。
【００４１】
さて、図１〜図３に示すように、第１のシリンジ１ａの押し子８と第２のシリンジ１ｂの押し子８とのうち、本実施形態では、第１のシリンジ１ａの押し子８（一方の押し子）が連結部８６を有する構成となっている。連結部８６は、第１のシリンジ１ａの押し子８に第２のシリンジ１ｂの押し子８（他方の押し子）を連結した図３に示す連結状態と、その連結状態を解除した図１、図２に示す解除状態とを取り得る。連結状態では、第１のシリンジ１ａの押し子８と第２のシリンジ１ｂの押し子８とを連動して、すなわち、一括して操作することができる。解除状態では、第１のシリンジ１ａの押し子８と第２のシリンジ１ｂの押し子８とを独立して、すなわち、別々に操作することができる。シリンジ連結体１０の使用中（使用過程）で、どのようなときにどちらの状態を取るのかについては、後述するシリンジ連結体１０の使用方法で説明する。
【００４２】
連結部８６は、第１のシリンジ１ａの押し子８のフランジ部８５の外周部に設けられている。なお、連結部８６は、押し子８のフランジ部８５（本体部８１）と一体的に形成されたものであってもよいし、フランジ部８５と別体で構成され、当該別体をフランジ部８５に接合したものであってもよい。前者の場合には、押し子８を製造する際に、当該押し子８を構成する部分を全て一括して成形することができ、その製造が容易となる。また、後者の場合、連結部８６と、それ以外の押し子８を構成する他の部分とにそれぞれ適した材料を用いることができる。特に連結部８６は、第２のシリンジ１ｂの押し子８と係合するため、前記他の部分よりも例えば剛性や耐摩耗性等が高い材料で構成されているのが好ましい。
【００４３】
連結部８６は、当該連結部８６を先端方向または基端方向から見たときＪ字状をなしている、すなわち、押し子８のフランジ部８５の周方向に沿った部分８６１と、部分から円弧状に湾曲して延びる湾曲部８６２とを有している。これにより、連結部８６は、湾曲部８６２で第２のシリンジ１ｂの押し子８の長手方向の途中と容易に係合することができ、よって、連結状態となる。また、係合後、湾曲部８６２が第２のシリンジ１ｂの押し子８から外れにくくなり、よって、連結状態が維持される。
【００４４】
なお、第２のシリンジ１ｂの押し子８では、湾曲部８６２が係合する部分に、フランジ部８５から基端方向に向かって延長された円柱状の延長部８７と、延長部８７を介してフランジ部８５と離間して配置された円盤状のフランジ部８８とが設けられている。
【００４５】
連結状態では、湾曲部８６２が延長部８７に係合するともに、フランジ部８５とフランジ部８８との間で挟持される（図３参照）。この係合と挟持との相乗効果により、連結状態が確実に維持され、よって、シリンジ連結体１０の使用中に連結部８６が不本意に解除状態となるのが確実に防止される。
【００４６】
また、前述したように第１のシリンジ１ａの押し子８は、本体部８１の先端側に位置するヘッド部８４を介して、ガスケット７に回動支持されている。そして、この押し子８を回動させることにより、連結部８６は、本体部８１（押し子８の軸）を回動中心として、第２のシリンジ１ｂの押し子８に対して接近・離間することができる。これにより、連結部８６が第２のシリンジ１ｂの押し子８から離間した状態では解除状態となり、連結部８６が離間した状態から第２のシリンジ１ｂの押し子８に接近することにより、連結状態となる。このように第１のシリンジ１ａの押し子８を回転させるという簡単な操作で、連結状態と解除状態とを容易かつ確実に切り換えることができる。従って、シリンジ連結体１０は、操作性に優れたものであるということができる。
【００４７】
図６および図７に示すように、シリンジ連結体１０は、規制機構３０をさらに備えている。規制機構３０は、第１のシリンジ１ａおよび第２のシリンジ１ｂの各押し子８の移動（移動限界）を一括して一時的に規制する機構である。この規制機構３０は、第１のシリンジ１ａの押し子８に設けられた第１の係合部８１１と、第１のシリンジ１ａの突出部２１２に装着され、第１の係合部８１１に係合可能な第２の係合部９４を有するロック部材９とで構成されている。
【００４８】
図５に示すように、第１の係合部８１１は、押し子８の４枚の板状部８１ａのうち、１枚の板状部８１ａの縁部（外周部）にその長手方向に沿って設けられている。この第１の係合部８１１は、板状部８１ａの縁部がくさび状に欠損した多数の歯部（欠損部）で構成され、当該各歯部には、それぞれ、押し子８の長手方向と直交する係止面８１２と、押し子８の長手方向に対して傾斜した傾斜面８１３とが形成されている。
【００４９】
なお、本実施形態では、第１の係合部８１１が設けられた板状部８１ａは、押し子８の中心軸を介して、連結部８６と反対側の板状部８１ａである。
【００５０】
図６、図７に示すように、ロック部材９は、第１のシリンジ１ａの突出部２１２に装着される装着部９１と、装着部９１を介してその両側に配置された一対の操作片９２と、各操作片９２同士の間に架設されたアーチ状部９３と、アーチ状部９３の内側に設けられた第２の係合部９４とを有している。
【００５１】
装着部９１は、第１のシリンジ１ａの突出部２１２と第２のシリンジ１ｂの突出部２１２との間に配置される。この配置状態で、装着部９１は、第２のシリンジ１ｂ側から反力を受けて、第１のシリンジ１ａ側に押し付けられる。これにより、第１のシリンジ１ａの突出部２１２に装着される。
【００５２】
一対の操作片９２は、第１の係合部８１１と第２の係合部９４との係合を強制的に解除したい場合に操作される操作部である。この解除操作は、操作片９２同士を接近させることにより行なわれる。これにより、アーチ状部９３が外側に撓み、その撓んだ分だけ第２の係合部９４が第１の係合部８１１から離間して、第１の係合部８１１と第２の係合部９４との係合が解除される。
【００５３】
第２の係合部９４は、アーチ状部９３の内側に突出し、第１のシリンジ１ａの押し子８に対して傾斜した突片（係合片）で構成されている。このような構成の第２の係合部９４が押し子８の第１の係合部８１１と係合することにより、第１のシリンジ１ａおよび第２のシリンジ１ｂの各押し子８の移動を一時的に規制し、その規制状態を維持することができる。これにより、第１のシリンジ１ａおよび１ｂの各ガスケット７が不本意に基端方向に移動してしまうのを防止することができる。
【００５４】
また、前述したように第１のシリンジ１ａの押し子８は、ガスケット７に回動支持されている。この回動により、図６、図７に示すように、第１の係合部８１１は、第２の係合部９４に対して接近・離間することができる。そして、連結状態では、図７に示すように、第１の係合部８１１と第２の係合部９４とが接近して係合し合う。また、解除状態では、図６に示すように、第１の係合部８１１と第２の係合部９４とが離間して互いの係合が解除されている。
【００５５】
このように、シリンジ連結体１０では、第１の係合部８１１と第２の係合部９４と、その係合の解除（以下この係合および解除を「第２の動作」と言う）とが、第１のシリンジ１ａの押し子８の回転に連動して行なわれるよう構成されている。また、シリンジ連結体１０では、第１のシリンジ１ａの押し子８と第２のシリンジ１ｂの押し子８との連結と、その連結の解除（以下この連結および解除を「第１の動作」と言う）も第１のシリンジ１ａの押し子８の回転に連動して行なわれるよう構成されている。これにより、第１のシリンジ１ａの押し子８を回転するという１つの操作（ワンアクション）で、第１の動作と第２の動作とを一括して行なうことができ、よって、操作性に優れる。
【００５６】
ロック部材９の構成材料としては、特に限定されず、例えば、シリンジ外筒２の構成材料と同じものを用いることができる。
【００５７】
次に、シリンジ連結体１０の使用方法の一例について、図１〜図３、図６および図７を参照しつつ説明する。
【００５８】
なお、この使用に先立って、未使用状態のシリンジ連結体１０と、第１の液体収納容器５０ａと、第２の液体収納容器５０ｂと、第１の薬剤収納容器６０ａと、第２の薬剤収納容器６０ｂとを用意しておく。
【００５９】
未使用状態のシリンジ連結体１０では、第１のシリンジ１ａ、第２のシリンジ１ｂがそれぞれ空の状態のものであり、ガスケット７がシリンジ外筒２の先端壁部２１１に当接している。また、このシリンジ連結体１０では、第１のシリンジ１ａの押し子８と第２のシリンジ１ｂの押し子８とが解除状態となっており、第１の係合部８１１と第２の係合部９４との係合も解除されている。
【００６０】
第１の液体収納容器５０ａには、液体Ｐ１が予め収納され、第２の液体収納容器５０ｂには、液体Ｐ２が予め収納されている。液体Ｐ１、Ｐ２は、それぞれ、例えば生理食塩水である。
【００６１】
第１の薬剤収納容器６０ａには、粉末状の薬剤Ｑ１が予め収納され、第２の薬剤収納容器６０ｂには、粉末状の薬剤Ｑ２が予め収納されている。薬剤Ｑ１を液体Ｐ１で溶解すれば、薬液Ｒ１を得、薬剤Ｑ２を液体Ｐ２で溶解すれば、薬液Ｒ２を得る。
【００６２】
そして、薬液Ｒ１と薬液Ｒ２とを所定の混合比で混合して、この混合液Ｒ３を生体に塗布することができる。例えば、混合液Ｒ３を生体組織接着材とする場合、薬液Ｒ１および薬液Ｒ２のうちの一方をトロンビンとすることができ、他方の薬剤をフィブリノーゲンとすることができる。また、混合液Ｒ３を癒着防止材とする場合、一方をスクシンイミジル基で修飾したカルボキシメチルデキストリンとすることができ、他方を炭酸水素ナトリウムと炭酸ナトリウムとすることができる。
【００６３】
［１］  まず、図１（ａ）に示すように、シリンジ連結体１０の第１のシリンジ１ａの口部２２を第１の液体収納容器５０ａに液密的に接続し、第２のシリンジ１ｂの口部２２を第２の液体収納容器５０ｂに液密的に接続する。これにより、第１のシリンジ１ａと第１の液体収納容器５０ａとが連通するとともに、第２のシリンジ１ｂと第２の液体収納容器５０ｂとが連通する。
【００６４】
そして、この接続状態で第１のシリンジ１ａの押し子８を基端方向に向かって引張る。これにより、第１のシリンジ１ａの口部２２から液体Ｐ１が吸引されて、シリンジ外筒２とガスケット７とで囲まれた空間に液体Ｐ１が充填される。この液体Ｐ１の充填量は、例えば５ｍＬであったとする。
【００６５】
なお、第１のシリンジ１ａの押し子８は、まだ規制機構３０によって移動が規制されていない、すなわち、図６に示すように第１の係合部８１１が第２の係合部９４と係合していない。これにより、前述したように第１のシリンジ１ａの押し子８を引張ることができる。そして、この図６に示す状態は、シリンジ連結体１０が連結状態となるまで維持される。
【００６６】
また、第２のシリンジ１ｂの押し子８も基端方向に向かって引張る。この第２のシリンジ１ｂの押し子８は、第１のシリンジ１ａの押し子８とまだ連結されていない解除状態となっているため、単独での引張り操作が可能である。第２のシリンジ１ｂの押し子８の引張りにより、第２のシリンジ１ｂの口部２２から液体Ｐ２が吸引されて、シリンジ外筒２とガスケット７とで囲まれた空間に液体Ｐ２が充填される。この液体Ｐ２の充填量は、例えば４ｍＬであったとする。
【００６７】
液体Ｐ１の充填量と液体Ｐ２の充填量とが異なっており、第１のシリンジ１ａの太さと第２のシリンジ１ｂの太さも異なっている。そのため、第１のシリンジ１ａの押し子８の引張り量と、第２のシリンジ１ｂの押し子８の引張り量とは異なる。その結果、充填後の第１のシリンジ１ａでのガスケット７の位置と、第２のシリンジ１ｂでのガスケット７の位置とは、シリンジ外筒２の長手方向にズレる。
【００６８】
このように各押し子８の引張り量が互いに異なるため、当該各押し子８をまとめて引張るよりも、別々に引張った方がその引張り操作が行ない易い。
【００６９】
［２］  次に、図１（ｂ）に示すように、第１のシリンジ１ａの口部２２から第１の液体収納容器５０ａを外して、当該口部２２に第１の薬剤収納容器６０ａを液密的に接続する。これにより、第１のシリンジ１ａと第１の薬剤収納容器６０ａとが連通する。また、第２のシリンジ１ｂの口部２２から第２の液体収納容器５０ｂを外して、当該口部２２に第２の薬剤収納容器６０ｂを液密的に接続する。これにより、第２のシリンジ１ｂと第２の薬剤収納容器６０ｂとが連通する。
【００７０】
そして、この接続状態で第１のシリンジ１ａの押し子８を先端方向に向かって押圧する。これにより、第１のシリンジ１ａの口部２２から液体Ｐ１が第１の薬剤収納容器６０ａに吐出される。なお、第１のシリンジ１ａの押し子８は、ガスケット７がシリンジ外筒２の先端壁部２１１に当接するまで、すなわち、押圧限界まで押圧される。これにより、第１の薬剤収納容器６０ａには５ｍＬの液体Ｐ１が供給される。
【００７１】
また、第２のシリンジ１ｂの押し子８も先端方向に向かって押圧する。これにより、第２のシリンジ１ｂの口部２２から液体Ｐ２が第２の薬剤収納容器６０ｂに吐出される。なお、第２のシリンジ１ｂの押し子８も、ガスケット７がシリンジ外筒２の先端壁部２１１に当接するまで、すなわち、押圧限界まで押圧される。これにより、第２の薬剤収納容器６０ｂには４ｍＬの液体Ｐ２が供給される。
【００７２】
前記と同様に各押し子８の押圧量が互いに異なるため、当該各押し子８をまとめて押圧するよりも、別々に押圧した方がその押圧操作が行ない易い。また、押圧限界まで確実に押圧することができる。
【００７３】
また、シリンジ連結体１０に接続された第１の薬剤収納容器６０ａ、第２の薬剤収納容器６０ｂをシリンジ連結体１０ごと振盪する。これにより、第１の薬剤収納容器６０ａでは、薬剤Ｑ１が液体Ｐ１で溶解されて、薬液Ｒ１が生成される。また、第２の薬剤収納容器６０ｂでは、薬剤Ｑ２が液体Ｐ２で溶解されて、薬液Ｒ２が生成される。
【００７４】
［３］  次に、図２（ｃ）に示すように、シリンジ連結体１０に第１の薬剤収納容器６０ａ、第２の薬剤収納容器６０ｂが接続されたままの状態で、第１のシリンジ１ａの押し子８を基端方向に向かって引張る。これにより、第１のシリンジ１ａの口部２２から薬液Ｒ１が吸引されて、シリンジ外筒２とガスケット７とで囲まれた空間に薬液Ｒ１が充填される。この薬液Ｒ１の充填量は、例えば４ｍＬであったとする。
【００７５】
また、第２のシリンジ１ｂの押し子８も基端方向に向かって引張る。これにより、第２のシリンジ１ｂの口部２２から薬液Ｒ２が吸引されて、シリンジ外筒２とガスケット７とで囲まれた空間に薬液Ｒ２が充填される。この薬液Ｒ２の充填量は、例えば２ｍＬであったとする。
【００７６】
その後、図２（ｄ）に示すように、第１のシリンジ１ａの口部２２から第１の薬剤収納容器６０ａを外すとともに、第２のシリンジ１ｂの口部２２から第２の薬剤収納容器６０ｂを外す。
【００７７】
また、薬液Ｒ１が４ｍＬ充填された第１のシリンジ１ａと、薬液Ｒ２が２ｍＬ充填された第２のシリンジ１ｂとでは、図２（ｄ）に示すように、各ガスケット７の位置は、シリンジ外筒２の長手方向で同じ位置となっている。従って、各押し子８の引張り量が互いに同じとなっている。このため、シリンジ連結体１０を連結状態として、当該各押し子８をまとめて引張った方がよいと思われるが、前述したように連結状態とすると規制機構３０が作動して押し子８の移動が規制されてしまうため、解除状態としたままの方が好ましい。
【００７８】
［４］  次に、図３（ｅ）に示すように、第１のシリンジ１ａの押し子８を回転させて、シリンジ連結体１０を連結状態とする。これにより、各押し子８を一括して押圧操作可能となる。
【００７９】
また、このとき、図７に示すように、規制機構３０が作動して、第１の係合部８１１が第２の係合部９４と係合する。これにより、各押し子８の基端方向への移動が規制され、よって、例えば各ガスケット７がシリンジ外筒２の基端開口から離脱するのを防止することができる。
【００８０】
［５］  次に、図３（ｆ）に示すように、第１のシリンジ１ａの口部２２と第２のシリンジ１ｂの口部２２とにノズル（図示せず）を装着して、例えば第１のシリンジ１ａの押し子８のフランジ部８５に指を掛け押圧する。この押圧により、各押し子８が一括して先端方向に向かって移動して、第１のシリンジ１ａの口部２２からは、薬液Ｒ１が確実に吐出され、これと同時に第２のシリンジ１ｂの口部２２からは、薬液Ｒ２が確実に吐出される。
【００８１】
薬液Ｒ１と薬液Ｒ２とは、前記ノズル内を流下する途中で合流し、混合液Ｒ３となる。混合液Ｒ３は、前記ノズルから噴霧されて生体に塗布されることとなる。
【００８２】
以上のように、シリンジ連結体１０では、液体Ｐ１で薬剤Ｑ１を溶解して薬液Ｒ１を生成し、液体Ｐ２で薬剤Ｑ２を溶解して薬液Ｒ２を生成するに際し、３つの操作を経る。１つ目の操作は、液体Ｐ１を吐出して当該液体Ｐ１で薬剤Ｑ１を溶解するとともに、液体Ｐ２を吐出して当該液体Ｐ２で薬剤Ｑ２を溶解する操作である。２つ目の操作は、薬液Ｒ１を吸引するとともに、薬液Ｒ２を吸引する操作である。３つ目の操作は、薬液Ｒ１を吐出するとともに、薬液Ｒ２を吐出する操作である。そして、各操作に応じて、シリンジ連結体１０を連結状態と解除状態とに適宜切り換えることができる。このように１つのシリンジ連結体１０を用いれば、各操作に適した状態で当該各操作を容易に行なうことができる。
【００８３】
また、前述したように、連結部８６は、最大容積が大きい方のシリンジである第１のシリンジ１ａの押し子８に設けられている。この第１のシリンジ１ａの押し子８は、第２のシリンジ１ｂの押し子８よりも太くなっている。これにより、第１のシリンジ１ａの押し子８を回転させて連結状態と解除状態とを切り換える際、当該押し子８に対してトルクを容易に付与することができ、よって、その切り換え操作を容易に行なうことができる。
【００８４】
以上、本発明のシリンジ連結体を図示の実施形態について説明したが、本発明は、これに限定されるものではなく、シリンジ連結体を構成する各部は、同様の機能を発揮し得る任意の構成のものと置換することができる。また、任意の構成物が付加されていてもよい。
【００８５】
また、シリンジ連結体は、前記実施形態では２本のシリンジを連結したものであるが、これに限定されず、３本以上のシリンジを連結したものであってもよい。
【００８６】
また、連結状態と解除状態とを取り得る連結部は、前記実施形態では、第１のシリンジの押し子が有していたが、これに限定されず、第２のシリンジの押し子が有していてもよい。
【００８７】
また、規制機構は、前記実施形態では第１のシリンジおよび第２のシリンジの各押し子の移動を一時的に規制するよう構成されているが、これに限定されず、第１のシリンジの押し子の移動のみを一時的に規制するよう構成されていてもよい。
【００８８】
また、シリンジ連結体を使用する際、その未使用状態でのシリンジ連結体は、前記実施形態では第１のシリンジ、第２のシリンジがそれぞれ空の状態のものであったが、これに限定されず、第１のシリンジ、第２のシリンジにはそれぞれ所定量の溶解液が予め充填されていてもよい。
【００８９】
また、シリンジ連結体を使用する際、第１のシリンジおよび第２のシリンジの各シリンジ本体の口部を介して薬液を吸引するときには、前記実施形態では連結部を解除状態としていたが、連結部を連結状態としてもよい。この場合、連結状態では、第１のシリンジ側の第１の係合部とロック部材側の第２の係合部とが係合しているため、ロック部材の操作片を操作して当該係合を強制的に解除して、薬液の吸引を行なう。
【００９０】
また、第１の液体収納容器、第２の液体収納容器内に収納されている液体は、前記実施形態では溶解液として用いられているが、これに限定されず、第１の薬剤収納容器や第２の薬剤収納容器に収納されている薬剤が液体の場合には、当該薬剤を希釈する希釈液として用いることもできる。
【符号の説明】
【００９１】
１０          シリンジ連結体
１ａ          第１のシリンジ
１ｂ          第２のシリンジ
２            シリンジ外筒
２１          胴部
２１１        先端壁部
２１２        突出部
２１４        目盛り
２２          口部
２３          フランジ部
７            ガスケット
７１          突部
７２          凹部
８            押し子
８１          本体部
８１ａ        板状部
８１１        第１の係合部
８１２        係止面
８１３        傾斜面
８４          ヘッド部
８５          フランジ部
８６          連結部
８６１        部分
８６２        湾曲部
８７          延長部
８８          フランジ部
９            ロック部材
９１          装着部
９２          操作片
９３          アーチ状部
９４          第２の係合部
３０          規制機構（規制機構部）
５０ａ        第１の液体収納容器
５０ｂ        第２の液体収納容器
６０ａ        第１の薬剤収納容器
６０ｂ        第２の薬剤収納容器
Ｐ１、Ｐ２    液体
Ｑ１、Ｑ２    薬剤
Ｒ１、Ｒ２    薬液
Ｒ３          混合液
【図１】
2015144676.tif 000003
【図２】
2015144676.tif 000004
【図３】
2015144676.tif 000005
【図４】
2015144676.tif 000006
【図５】
2015144676.tif 000007
【図６】
2015144676.tif 000008
【図７】
2015144676.tif 000009